(57)【特許請求の範囲】
【請求項１】
長手方向に延びるトレイ形状のインサート及び長手方向に延びる容器の組み合わせであって、
前記容器の内部に収容される複数の溶接電極を有し、
前記容器は長手方向の軸を規定し、一端部において閉じられるとともに、対向する開口端部を有し、
前記インサートは長手方向の軸を規定し、前記容器から長手軸方向に取り出すことが可能であり、前記閉じられた一端部の側において当該インサートの底面に固定された端部フランジを有し、
前記インサートは前記開口端部の側において、孔を有するハンドルにヒンジのように動くように接続され、該ハンドルは、前記軸方向に伸展して前記インサートから離れる伸展位置と、収容位置との間に位置することができ、
前記インサートは、前記底面に固定的に接続された一対の対向する側壁を更に有し、前記端部フランジの高さは前記側壁の高さと実質的に同等であり、
前記インサートの断面面積は、前記容器の断面面積よりも小さく、
前記インサートが前記容器内に位置する場合に、前記インサートは前記容器内に位置する前記複数の溶接電極の少なくとも一つを保持し、前記複数の溶接電極の前記少なくとも一つは、前記閉じられた一端部と前記収容位置にある前記ハンドルとの間に長手方向に保持され、
前記インサート及び前記容器の断面は、前記インサートの長手方向の軸に対して実質的に垂直である、
インサート及び容器の組み合わせ。
【請求項２】
前記インサートは、前記ハンドルから前記側壁に向かって長手方向に延びる首部を更に有する、請求項１記載の組み合わせ。
【請求項３】
前記複数の溶接電極は、前記容器内にきつく詰め込まれている、請求項１記載の組み合わせ。
【請求項４】
長手方向の軸及び容器の断面面積を規定する、電極容器、
該容器の内部に収容される、複数の溶接電極、
長手方向に延びるトレイ形状のインサートであって、二つの側壁、及び当該インサートの閉じた端部及び対向する開いた端部を規定する端部フランジを有し、当該インサートは前記複数の溶接電極の少なくとも一つを保持し、当該インサートが前記容器内に位置する場合に、当該インサートは、前記閉じた端部と前記開いた端部との間に長手方向に位置する前記複数の溶接電極の少なくとも一つを保持し、当該インサートは前記容器に収容され、当該インサートの断面面積は、前記容器の断面面積よりも小さい、インサート、及び、
前記容器から、前記インサート、及び、前記複数の溶接電極の前記少なくとも一つを取り出すための、孔を有する手段、
を有し、
前記手段は、前記少なくとも一つの溶接電極を前記閉じた端部と前記手段との間に長手方向に保持するように、前記インサートの前記開いた端部に、ヒンジのように動くように配置され、
前記インサート及び前記容器の断面は、前記棒の長手方向の軸に対して実質的に垂直である、
器具。
【請求項５】
前記複数の溶接電極はきつく詰め込まれている、請求項４記載の器具。
【発明の詳細な説明】
【技術分野】
【０００１】
本明細書において記述される発明は、概して電極取り出しを補助するインサートを有する電極容器に関する。
【背景技術】
【０００２】
無数の製品が、日々包装され、国内及び世界中へと輸送されている。多くの製品は、輸送の間の損傷を最小化又は防止するために、箱枠又は箱の中に置かれ、包装材を充填される。いくつかの環境において、製品は、空気によってカプセル化されたプラスチック材の層で包まれる。この層は、一般にバブルラップと呼ばれ、製品を衝撃又は衝突から守ることを助ける。他の容器は、熱（典型的には蒸気の形）の使用によって発泡体（フォーム）状に膨張させられたポリマーで作られた包装材によって満たされる。ポリスチレンは、このような種類のポリマーの一つの例である。これらの空気で満たされた“ピーナッツ”はまた、力を吸収し、それにより周りの物品への損傷を最小化することによって、包装された製品を保護するように機能する。
【０００３】
いくつかの製品は、封入された品物が周囲の状況に曝されることを防ぐために、密閉可能なキャニスター内に収容及び包装される。いくつかのキャニスターは、空気及び／又は湿気への暴露を防ぐために、気密に密閉される。空気及び／又は湿気は、内容物を酸化又はさもなければ損傷する恐れがある。そのような容器は、包装される品物の新鮮さを保つことを助ける。包装される製品の例は、食用の素材から工業的な消耗品にまで及ぶ。多くの場合において、同一または同じような大きさのキャニスターが、異なる量の物を包装するために使用される。特定の量の製品に関して、キャニスター内に残る余分な空間は、輸送の間に製品が押し合うことを許し、個々の物品が互いに、及びキャニスターの壁にぶつかる機会を提供し、それによって損傷の可能性を増大する恐れがある。
【０００４】
包装される物品のある一つの例は、溶接の消耗品、より具体的には溶接電極に関する。棒溶接は一般的な溶接工程である。その工程は、電極と加工対象物との間に電弧（アーク）を確立することによって消費される有限長の溶接棒を利用する。電極は、気密容器内に収容された場合に最もよく機能する。容器は限度容量まで電極で満たされる。これは、適用された被膜が、輸送の間に溶接棒が互いにぶつかった場合及び／又は突き当たった場合に割れる傾向があるため、容器内の余分な空間がしばしば溶接棒の損傷を引き起こすからである。限度容量まで電極で満たされた容器はきつく詰め込まれた状態となり、手で電極を取り出すことを非常に困難に、時には不可能にする。しばしば使用者は、容器から電極を取り出す又は引き抜くために道具、例えばニードル・ノーズ・プライヤーの使用を試みることがある。または、使用者は缶（容器）を上下逆さまにすることを試みることがある。しかしながら、この機械的な補助方法すら、適用された被膜に対して悪影響を及ぼす。
【０００５】
米国特許ＵＳ５，２６６，７７２号公報（特許文献１）は、重ね合わせ構造の革製ポーチ及びヒーターの平面的で柔軟な一体化構造を開示する。ヒーターは、ポーチ内のアーク溶接用ロッドに約２８℃から約１３９℃の間の温度をもたらし、その温度を保つ目的のために発熱性組成物を使用する。ポーチは外側レセプタクル及び内側レセプタクルを有する。内側レセプタクルは、縫い合わされた二枚の革で作られており、ミシン目が設けられている。
【０００６】
米国特許公開ＵＳ２０１０／０２５１６７２号公報（特許文献２）は、複数のロッドを保持するための容器及び容器のためのインサートを有する、電極ロッドのための包装を開示する。インサートは、容器の内側に適合し、概して容器の内部空間に一致する第一の部分、及び概して複数のロッドの束ねられた形状に一致する第二の部分を、インサートの第二の部分にテンションを与える結束具と共に有している。
【０００７】
米国特許ＵＳ２，３９０，６３１号公報（特許文献３）は、インサートを持つ溶接電極のための容器を開示する。インサートは、長手方向に延びるロッド及びロッドを取り出すためのハンドルを有する。ハンドルは容器の外側かつ容器を閉じる蓋の上方に位置する。
【先行技術文献】
【特許文献】
【０００８】
【特許文献１】米国特許ＵＳ５，２６６，７７２号公報
【特許文献２】米国特許公開ＵＳ２０１０／０２５１６７２号公報
【特許文献３】米国特許ＵＳ２，３９０，６３１号公報
【発明の概要】
【発明が解決しようとする課題】
【０００９】
容器が限度容量まで満たされた場合に、手による電極の取り出しを容易にするインサート又はトレイを組み込むことは有用であろう。必要とされるものは、限度容量まで満たされたキャニスターからの電極の取り出しを補助するインサート又はトレイである。本発明の実施形態は、前述の課題を未然に防ぐ。
【課題を解決するための手段】
【００１０】
本発明によれば、インサート及び容器の組み合わせであって、第一の断面面積を有する開口を持つ当該容器の内部に収容される、複数の溶接電極、長手軸方向に位置を変えられるトレイ、及び収容した当該容器から、前記トレイ、及び、前記複数の溶接電極の前記少なくとも一つを取り出すための手段が提供される。トレイは、底面及び当該容器の前記第一の断面面積と同等か、又はそれ以下の第二の断面面積を有し、当該トレイは当該容器の内部に配置され、前記複数の溶接電極の少なくとも一つを保持する。さらに、収容した当該容器から、前記トレイ、及び、前記複数の溶接電極の前記少なくとも一つを取り出すための手段は、前記トレイの底面の一端部に配置され、前記第一及び第二の断面面積は、前記トレイの長手方向の軸に対して垂直である。
【００１１】
また、本発明の範囲には、長手方向に延びるインサート及び容器の組み合わせが含まれる。長手方向に延びるインサート及び容器の組み合わせは、第一の断面面積を有する開口を持つ当該容器の内部に収容される、複数の溶接電極、長手軸方向に位置を変えられる棒及び端部フランジ、及び収容した当該容器から、前記棒、及び、前記複数の溶接電極の前記少なくとも一つを取り出すための手段、を有する。当該棒及び当該端部フランジは当該容器に収容され、かつ、前記複数の溶接電極の少なくとも一つを保持し、当該棒及び当該端部フランジは当該容器の前記第一の断面面積と同等か、又はそれ以下の第二の断面面積を有する。加えて、収容した当該容器から、前記棒、及び、前記複数の溶接電極の前記少なくとも一つを取り出すための手段は、前記棒の一端部の少なくとも一つに配置され、前記第一及び第二の断面面積は、前記棒の長手方向の軸に対して垂直である。
【００１２】
また、本発明の範囲には他の器具が含まれる。その装置は、第一の断面面積を有する第一の容器、該第一の容器の内部に収容される、複数の溶接電極、少なくとも一つの該溶接電極を保持する、長手方向に延びる第二の容器、及び、収容した前記第一の容器から、前記第二の容器、及び、前記複数の溶接電極の前記少なくとも一つを取り出すための手段、を有する。当該第二の容器は前記第一の容器に収容され、当該第二の容器は前記第一の容器の前記第一の断面面積と同等か、又はそれ以下の第二の断面面積を有する。さらに、収容した前記第一の容器から、前記第二の容器、及び、前記複数の溶接電極の前記少なくとも一つを取り出すための手段は、前記第二の容器の端部に配置され、前記第一及び第二の断面面積は、前記第一の容器の長手方向の軸に対して垂直である。
【００１３】
本発明のこれらの及び他の目的及び特徴は、図面、詳細な説明及び添付の特許請求の範囲に照らして見ることで明らかになるであろう。
【図面の簡単な説明】
【００１４】
本発明は、ある部分及び部品の配置において物理的形状をとり得る。これらのある好ましい実施形態は、明細書において詳細に記述され、その一部を形成する添付の図面に例示される。
【図１】図１は、従来技術に係る、物品を収容及び／又は運搬するための容器の斜視図である。
【図２】図２は、蓋を開けた状態の、従来技術に係る、きつく詰め込まれた容器の拡大斜視図である。
【図３Ａ】図３Ａ及び図３Ｂは、本発明の実施形態によるトレイの上方斜視図である。
【図３Ｂ】図３Ａ及び図３Ｂは、本発明の実施形態によるトレイの上方斜視図である。
【図４Ａ】図４Ａ乃至図４Ｃは、本発明の実施形態による様々なインサートの上方斜視図である。
【図４Ｂ】図４Ａ乃至図４Ｃは、本発明の実施形態による様々なインサートの上方斜視図である。
【図４Ｃ】図４Ａ乃至図４Ｃは、本発明の実施形態による様々なインサートの上方斜視図である。
【図５Ａ】図５Ａ乃至図５Ｄは、本発明の実施形態による代替的なトレイの上方斜視図である。
【図５Ｂ】図５Ａ乃至図５Ｄは、本発明の実施形態による代替的なトレイの上方斜視図である。
【図５Ｃ】図５Ａ乃至図５Ｄは、本発明の実施形態による代替的なトレイの上方斜視図である。
【図５Ｄ】図５Ａ乃至図５Ｄは、本発明の実施形態による代替的なトレイの上方斜視図である。
【図６】図６は、本発明の実施形態による代替的なインサートの上方斜視図である。
【図７Ａ】図７Ａは、蓋を開けた状態の、本発明の実施形態による、トレイ及び容器に収容された電極を有する容器の上方斜視図である。
【図７Ｂ】図７Ｂは、部分的に取り出された本発明の実施形態によるトレイをもつ、図７Ａの容器である。
【図８Ａ】図８Ａは、蓋を開けた状態の、本発明の実施形態による、インサート及び容器に収容された電極を有する容器の上方斜視図である。
【図８Ｂ】図８Ｂは、本発明の実施形態による、部分的に取り出されたインサートをもつ図８Ａの容器である。
【発明を実施するための形態】
【００１５】
本発明を実施するための最良の形態が、本特許出願の出願時点において出願人が知る最良の形態を例示する目的で以下に記述される。各実施例及び図面は例示的であるに過ぎず、本発明を限定することを意図しない。本発明は請求項の範囲及び精神によって評価される。
【００１６】
ここから図面を参照する。図示は本発明の実施例を例示する目的のみのためであり、これを限定する目的のためではない。図１は、様々な物品を保持するための従来技術の容器を示し、容器は概して容器１０として表現されている。図２に示すように、保管及び／又は輸送の目的のために、容器１０は複数のきつく詰め込まれた物品１２を包装するために使用されることができる。それ自体は、容器１０の壁は概して硬質又は半硬質であってもよい。一つの実施形態において、容器１０は金属又は金属合金で構成された筒状の入れ物であってもよい。他の実施形態において、容器は箱形の容器であってもよく、又はその他の形状を持っていてもよい。しかしながら、当業者は、あらゆる寸法、形状及び／又は容器１０を構成する材質への本発明の実施形態の適用を容易に理解するであろう。実施例として、図面は概して筒状のキャニスター１４を描写する。キャニスター１４は、棒状の物品、例えば、溶接電極又は溶接棒１６を保持するために使用されることができる。しかしながら、キャニスター１４に収納される物品１２の種類は、溶接材料に限定されるとは解釈されず又は棒状の物品にさえ限定されるとは解釈されない。むしろ、あらゆる種類の物品１２が、本発明の実施形態の使用として適切なように、キャニスター１４に収容されることができる。例示される実施形態において、キャニスター１４はポップオープンタブキャップ又はシール１８によって気密に密閉されてもよい。このような方式のシーリングキャニスター１４は、キャニスター１４内に収容された物品１６を周囲の状況への暴露から保護することを助ける。リクローザブルキャップ２０（図１参照）もまた、シール１８（図２参照）が取り除かれた後に、続いてキャニスター１４の内容物をシールするために設けられてもよい。
【００１７】
図２は、従来技術の容器１０内に収容された、複数のきつく詰め込まれた棒状の物品１２を例示する。ある適用において、容器１０は所定の量の物を収容するために利用されてもよい。物の量は重量の単位で測定されてもよい。例えば、１０ポンド（４．５３６kg）の所定の種類の溶接棒１６が容器１０内での保管のために指定されてもよい。ある種類の溶接棒１６は、他の種類の溶接棒と実質的に異なる密度を有しうることが容易に理解されるであろう。従って、１０ポンド（４．５３６kg）の第一の種類の溶接棒１６は、結果として第二の種類の溶接棒とは異なる量をもたらすことがある。いずれの場合においても、同じ種類の容器１０が、両方の種類の溶接棒１６を収容するために使用され、容器１０はきつく詰め込まれることができる。容器は、その容器の内部に一本の追加的な棒が物理的に適合できなくなった場合に、きつく詰め込まれた状態となる。溶接棒１６が容器１０内にきつく詰め込まれているため、ある個別の溶接棒を手で取り出すことは難しいかもしれない。また、使用者が溶接棒を取り出すことを試みたときに、使用者は、隣接した、きつく詰め込まれた溶接棒によって生み出される力、例えば摩擦力、に打ち勝つことができないかもしれない。後述の器具の使用なしでは、断面A0を有する開口を持ち、きつく詰め込まれた容器１０からの溶接棒１６の取り出しは、手では難しいかもしれない。よって、人は溶接棒１６をきつく詰め込まれた容器１０から取り出すために手工具の使用に頼るかもしれない。そこで、後述の図３Ａに示されるインサート２２が、例えば、きつく詰め込まれた容器１０からの手による溶接棒の取り出しを補助するために溶接棒１６と共に包装されてもよい。
【００１８】
図３Ａ及び図３Ｂは、溶接棒の取り出しを補助するために溶接棒（図示なし）と共に容器（前述）に包装されることができるインサート２２の上方斜視図を示す。インサート２２は、インサート２２が容器１０の内部に適合するような長さ、幅及び断面面積A1を持つように構成されてもよい。言い換えれば、インサートは、容器の対応する寸法及び面積、例えば容器の開口の断面面積、の長さ、幅及び断面面積、よりも小さな長さ、幅及び最大断面面積を有する。図示された実施形態において、インサート２２は、インサートの長手方向の軸に対して垂直な最大断面面積A1を持ち、最大断面面積A1は後述の端部フランジと同等である。さらに、最大断面面積A1は、容器の断面面積A0（前述）と同等か、又はそれよりも小さく、インサートは長手軸方向に容器の内部に配置されることができる。そのように、当業者は、あらゆる寸法、形状及び／又はインサート２２を構成するために使用される材質への、本発明の実施形態の適用を容易に理解するであろう。図示された実施形態において、は、インサート２２はトレイ形状のインサートである。インサート２２は長手方向に延びる第一の側壁２４及び第二の側壁２６、及び二つの側壁２４及び２６との間に平行に伸びる底面２８を有する。底面２８は第一の端部３０において上方に延びて、端部フランジ３２を形成する。第一の側壁２４及び第二の側壁２６は、それぞれ基本的に互いに平行な上部２４ａ及び２６ａと、インサート２２の中央に向かって内側に折り曲がり、底面２８と接続して半分の八角形の外周部を形成する下部２４ｂ及び２６ｂを有する。他の実施形態において、第一及び第二の側壁は互いに平行であり、底面に接続して半分の正方形又は半分の長方形の外周部を持つインサートを形成する。更に他の実施形態において、インサートは部分的な円形又は部分的に楕円形の外周部を持ってもよい。他の実施形態において、インサートは少なくとも一つの長手方向に延びる面を持つ。その面は、先に述べた複数の外周部と異なる外周部、例えば、部分的な三角形の外周部を持つ。
【００１９】
図示された実施形態において、端部フランジ３２は、第一の側壁２４及び第二の側壁２６の端部の間に平行に延びるが、これらと接触せず、二つの鉛直方向に延びる隙間３４を形成する。他の実施形態において、端部フランジは側壁に溶接され、鉛直方向にのびる隙間によって形成される空間を基本的に消してもよい。図示された実施形態において、端部フランジ３２は、溶接電極又はその他の物を収納し、きつく詰め込まれた容器から取り出すことができるように構成されている。他の実施形態において、端部フランジは、第一及び第二の側壁の間に延びかつ固定的に接続する。更に他の実施形態において、端部フランジは、側壁及び端部フランジの両方に固定的に接続されたリブによって補強されている。
【００２０】
図示された実施形態において、インサート２２の底面２８は、第二の端部３１から延びて首部３６を形成する。首部３６は側壁を有しておらず、更に後述するように、インサート２２が容器から少なくとも部分的に取り出された後の、インサート２２からの電極の取り出しを容易にしている。他の実施形態において、首部は、長手方向にハンドルの近傍まで延びる少なくとも一部の側壁を有している。図示された実施形態において、首部３６は、隙間３８まで長手方向に延びており、隙間３８は中央に位置しかつ横方向に延びる。二つの長手方向に延びるヒンジ部４０は、首部３６から隙間３８の両端に延び、首部３６をハンドル４２に取り付ける。ハンドル４２は、二つのヒンジ部４０の間に置かれた少なくとも一つの孔４４を持つ。図示された実施形態において、インサート２２は、第一の側壁２４と第二の側壁２６の間、かつ、端部フランジ３２とハンドル４２の間に電極を保持するように構成されている。他の実施形態において、インサートは一つより多い隙間、単一の又は二つ以上の長手方向に延びるヒンジ部、又は一つより多い横方向に延びる隙間を有してもよく、中央に配置されていない少なくとも一つの隙間を有してもよい。更に他の実施形態において、インサートは固定的に首部とハンドルの両方に取り付けられたヒンジ機構を有してもよい。他の実施形態において、ハンドルは代替的な形状を有し、かつ／あるいはハンドルは一つより多い孔を有する。更に他の実施形態において、ハンドルは、インサートの首部又は底部に留め具によって固定的に取り付けられてもよい。他の実施形態において、インサートは隙間を有さない。
【００２１】
図示された実施形態において、横方向に延びる隙間３８及びそれぞれの長手方向に延びるヒンジ部４０は、首部３６がヒンジのように動くように（hingedly）ハンドル４２に繋ぐように構成されている。例えば、ハンドル４２は、伸展位置から収容位置にハンドル４２が動くというように、少なくとも軸Ａ−Ａを中心にプラス及びマイナスの方向におよそ９０°の範囲で首部３６に対して動くことができる。ここで軸Ａ−Ａは隙間３８と平行である。ヒンジ部４０は、少なくとも一度、収容位置と伸展位置との間のハンドル４２の動きを容易にする厚さを持つ材料で作られてもよい。例えば、ハンドル４２は、ハンドル４２が収容位置にある場合に、（図３Ａに示されるように）それぞれのヒンジ部４０から首部３６に対しておよそ９０°の角度で延びる。選択的に、ハンドル４２は、インサート２２を容器１０からの取り出すこと又はインサート２２を収容位置に戻すことを容易にするための伸展位置にある場合に、（図３Ｂに示されるように）それぞれのヒンジ部４０から首部３６に対しておよそ０°の角度で延びる。ひとたびハンドル４２が伸展位置の付近まで動かされれば、人は、少なくともハンドル４２の孔４４に入れた一本の指を使って、又は、ハンドル４２を手で掴むことで、手工具を使用せずに容器１０からインサートを引き出し、かつ、容器１０内へインサートを押し戻すことができる。選択的に、インサートを容器１０内に押し戻すためにハンドル４２は収容位置に位置することができる。インサート２２が容器１０から完全に引き抜かれていなければ、インサート２２は容器１０内に押し戻されることができ、溶接電極を補充されることができる。
【００２２】
図示された実施形態において、インサート２２は機械加工、モールド、成形、又は当業者に知られた他の工程によって製造されてもよい。図示された実施形態において、好ましくは溶接電極を保持するため及び隣接する溶接電極からインサートに伝達される力に耐えるようにデザインされた材料、又は、インサート２２が容器１０の内部へ及び／又は外側へ移動するようにデザインされた材料で、インサート２２は作られる。インサート２２は、以下の材料の少なくとも一つで選択的に作られてもよい：金属、プラスチック及び強化された紙を基礎とした材料。金属の包括的でなく例示的なリストは、炭素鋼、ステンレス鋼、アルミニウム、銅を含む。一方、強化された紙材料の同様に限定的でなく例示的なリストは、ダンボール（波型ファイバーボード）、ボール紙、及び同類のものを含む。インサートの製造に有用なプラスチック材料の限定的でなく例示的なリストは、熱硬化性樹脂、熱可塑性樹脂、及びそのいずれかの種類の強化樹脂を含む。例として、熱可塑性物質で作られたインサートは、包括的でなく、限定的でないリストの物質から作られてもよい。そのリストは、ポリ（メタ）アクリル（poly(meth)acrylics）、セルロイド（celluloids）、ポリエチレン酢酸ビニル（poly(ethylene-vinyl  acetate)）、フッ素プラスチック（fluoroplastics）、ポリ（メタ）アクリレート（poly(meth)acrylates）、ポリアミド（polyamides）、ポリカプロラクトン（polycaprolactone）、ポリカーボネート（polycarbonate）、ポリエチレン（polyethylene）、ポリプロピレン（polypropylene）、ポリブチレン（polybutylene）、及びポリ塩化ビニル（polyvinyl  chloride）を含む。熱硬化性物質の包括的でなく例示的なリストは、加硫ゴム（vulcanized  rubbers）、メラミン樹脂（melamine  resins）、ポリイミド（polyimides）、及び繊維ガラス充填ポリエステル（fiberglass-filled  polyesters）、及び架橋した熱可塑性物質を含む。
【００２３】
図４Ａは、きつく詰め込まれた容器から手で溶接棒を取り出すことを補助するために、容器の内側に包装されることができる代替的なインサート５０を示す。図示された実施形態において、インサート５０は長手方向に延びる接続部５２を有する。接続部５２は、第一の端部において円盤状かつ円形状の端部フランジ５４と固定的に接続されており、第二の端部において円盤状のハンドル５６と固定的に接続されている。円盤状かつ円形状の端部フランジ５４は、（図４Ａ乃至図４Ｃに示されたように）インサートの長手方向の軸に対して垂直な最大断面面積A2を持つ。最大断面面積A2は、円盤状かつ円形状の端部フランジ５４の面積と同等か、又はそれよりも小さい。最大断面面積A2は、前述した容器の最大断面面積A0と同等か、又はそれよりも小さく、インサートは長手軸方向に容器の内部に配置されることができる。図示された実施形態において、長手方向に延びる接続部５２は、インサート５０が電極できつく詰め込まれた場合に強度を与えるように構成された、硬質の棒である。加えて、長手方向に延びる接続部５２は、インサート５０が容器１０から引き抜かれるとき又は押し込まれるときの強度を与える。
【００２４】
図示された実施形態において、長手方向に延びる接続部５２、円盤状かつ円形状の端部フランジ５４及び円盤状のハンドル５６は、先に特定された金属で作られている。他の実施形態（図示なし）において、長手方向に延びる接続部、円盤状の端部フランジ及び／又は円盤状のハンドルは、先に説明されたプラスチック又は強化された紙材料で作られていてもよい。
【００２５】
図示された実施形態において、横方向に延びる接続部５２は、円盤状かつ円形状の端部フランジ５４及び円盤状のハンドル５６に対してはんだ付け又は溶接されている。他の実施形態において、長手方向に延びる接続部は円盤状の端部フランジ及び円盤状のハンドルに対して留め具によって固定的に結び付けられる。例えば横方向に延びる接続部は両端において内部にねじ穴を持ち、円盤状の端部フランジ及びハンドルはそれぞれ、接続部の内部のねじ穴と整列して留め具を受容する、中央に配置された孔を有する。更に他の実施形態において、ハンドル及び／又は端部フランジは、他の形状をとることができ、かつ／或いは、孔を有することができる。
【００２６】
図４Ｂは、他の代替的なインサート６０を示す。インサート６０は実質的に前述のインサート５０と同様であり、以下の点で異なる。インサート６０は、長手方向に延びる半円形状又は凹形状の上方補助保持部６２及び上方補助保持部６４を有する。上方補助保持部６２及び上方補助保持部６４は、少なくとも円盤状かつ円形状の端部フランジ６６に対して、選択的に円盤状のハンドル６８に対して固定的に取り付けられている。横方向に延びる接続部７０は、円盤状かつ円形状の端部フランジ６６及び円盤状のハンドル６８に固定的に取り付けられている。図示された実施形態において、上方補助保持部６２は、長手方向内側、すなわち長手方向において円盤状かつ円形状の端部フランジ６６から遠ざかる方向に延びる。上方補助保持部６２は、円盤状の端部６６の下方の外周部７２のおよそ１８０°に延びる円弧を形成する。同様に、上方補助保持部６４は、長手方向内側、すなわち長手方向において円盤状のハンドル６８から遠ざかる方向に延びる。上方補助保持部６４は、円盤状のハンドル６８の下方の外周部７４のおよそ１８０°に（より大きな円弧及びより小さな円弧が本発明の範囲内であることを認識）延びる円弧を形成する。凹形状の補助支持器６２及び６４は、溶接電極を容器の内側及び外側へ案内する長さを持つように構成されている。他の実施形態において、凹形状の補助は、図４Ｂに例示されたよりも多く又は少なく、外周部又は端部フランジ又はハンドルから延びることができ、また、他の形状をとることができる。更に他の実施形態において、凹形状の補助は長手方向に端部フランジからハンドルまで続いてもよい。
【００２７】
図４Ｃは、柔軟であり、長手方向に延びる接続部８２を持つ代替的なインサート８０を示す。接続部８２は、柔軟な棒、ケーブル、又はワイヤーであってもよい。柔軟な接続部８２は、第一の端部において円盤形状の端部フランジ８４に固定的に接続しており、第二の端部において、インサート８０を容器から引くために構成されたハンドル８６に固定的に接続している。図示された実施形態において、インサート８０はきつく詰め込まれた溶接電極の容器からの最初の取り出しのために構成されている。換言すれば、インサートは、インサートの容器からの一番目の取り出しの後に廃棄することができる。なぜなら、容器はもはやきつく詰め込まれた状態でなく、その後の溶接電極は手で取り出すことが容易であると考えられるからである。図示された実施形態において、ハンドル８６は手で掴むことができる円形の輪とすることができる。他の実施形態においては、ハンドル８６は、図４Ｃに示された形状と異なる形状を持つ。図示された実施形態において、インサート８０は、柔軟な接続部８２、円盤形状の端部フランジ８４、及びハンドル８６を含めて、先に特定された金属で作られている。他の実施形態（図示なし）において、インサートは、柔軟な接続部、円盤形状の端部フランジ、及び／又はハンドルを含めて、プラスチック又は強化された紙材料で作られてもよい。そのプラスチック及び強化された紙材料は、先に説明された包括的でなく、限定的でないプラスチック及び強化された紙材料のリストを含む。
【００２８】
図５Ａは、代替的なインサート９０を示す。図示された実施形態において、インサート９０は長手方向に延びるトレイ９２を持つ。トレイ９２は、部分的な円形状の足部下方の外周部を持つ。トレイ９２の側面下方の外周部は、第一の端部９２ａにおいて端部フランジ９４へと延び、固定的に取り付けられる。端部フランジ９４は、（図５Ａ及び図５Ｂに図示されるような）インサートの長手方向軸に対して垂直な最大断面面積A3を持つ半円形状を有する。最大断面面積A3は、半円形状の端部フランジ９４の面積と同等である。さらに、最大断面面積A3は、容器の断面面積A0（前述）と同等又はそれ以下であり、インサートは長手軸方向に容器の内部に配置されることができる。第二の端部９２ｂの下方の部分において、長手方向に延びるトレイ９２は、長手方向に延びる接続部９６に固定的に接続されている。長手方向に延びる接続部９６は、延長し、そして選択的な孔１００を持つ円形のハンドル９８の下方の部分に接続する。図示された実施形態において、長手方向に延びるトレイ９２及び長手方向に延びる接続部９６は、それぞれインサート９０の長さのおよそ５０％だけ延びる（とはいえ、より長い長さ及びより短い長さの両方が本発明の範囲内である）。他の実施形態において、長手方向に延びるトレイ及び長手方向に延びる接続部は、図５Ａに例示されたよりも多く又は少なく延びる。図示された実施形態において、長手方向に延びる接続部９６は硬質であり、インサート９０は、溶接棒容器から取り出されること及び溶接棒容器に挿入されることができ、また、インサート９０が容器から完全に取り外されるまで、一回よりも多い回数にわたって内容物、例えば電極を補充されることができる。他の実施形態において、長手方向に延びる接続部は柔軟であり、インサートは、きつく詰め込まれた容器から一番面の棒を取り出すために、一度だけ使用されることができる。更に他の実施形態において、長手方向に延びるトレイは、例えば、部分的な逆三角形、部分的な正方形、又は部分的な長方形の、図５Aに図示されたものと異なる形状又は側部下方の外周部を持つ。
【００２９】
図示された実施形態において、インサート９０は、長手方向に延びるトレイ９２、端部フランジ９４、接続部９６、及び／又はハンドル９８を含めて、先に特定された金属で作られている。他の実施形態（図示なし）において、長手方向に延びるトレイ、端部フランジ、接続部、及び／又はハンドルは、プラスチック又は強化された紙材料で作られてもよい。そのプラスチック及び強化された紙材料は、先に説明された包括的でなく、限定的でないプラスチック及び強化された紙材料のリストを含む。
【００３０】
図５Ｂは、前述のインサート９０と類似しており、以下の点で異なる代替的なインサート１１０を示す。インサート１１０は、部分的なＵ字形状の外周の首部１１４を有する。首部１１４は、延長してＤ字形状のハンドル１１６に接続する。前述したように、ハンドル１１６は収容位置と伸展位置の間で動くように構成されている。例えば、ハンドル１１６は、少なくとも一つの長手方向に延びるヒンジ及び／又は少なくとも一つの横方向の隙間によって、ヒンジように動くように首部１１４に接続されている。
【００３１】
図５Ｃは、前述のインサート１１０と類似しており、以下の点で異なるインサート１２０を示す。インサート１２０は、長手方向に延びるトレイ１２４に少なくとも一つの切り込み１２２を有する。切り込み１２２は、少なくとも一つの溶接電極のインサート１２０からの取り出しを容易にする。図示された実施形態において、切り込み１２２は長手方向に延びるトレイ１２４の側壁１２６に長方形状の開口を形成する。他の実施形態において、少なくとも一つの切り込みは、正方形状、部分的な円形状又は部分的な楕円形状を持っていてもよい。同様に、図５Ｄは、前述のインサート２２と類似しており、以下の点で異なる代替的なインサート１３０を示す。インサート１３０は、長手方向に延びるトレイ１３４に少なくとも一つの切り込み１３２を有する。切り込み１３２は、少なくとも一つの溶接電極のインサート１３０からの取り出しを容易にする。
【００３２】
図６は、細長い袋又は管のような形状を持つ容器インサート１４０の上方斜視図を示す。インサート１４０は、最大断面面積A4を持つ筒状の本体１４２、少なくとも一つの補強部１４４、閉じられた第一の端部１４６、及び第二の端部１４８を有する。第二の端部１４８は、孔１５０及びハンドル１５２を持つ。ハンドル１５２は第二の端部１４８の二つの場所のうち少なくとも一つに接続されている。最大断面面積A4は、インサートの長手方向の軸に対して垂直である。また、最大断面面積A4は、容器の断面面積A0（前述）と同等か又はそれ以下であり、インサートは長手軸方向に容器の内部に配置されることができる。インサート１４０は、少なくとも一つの溶接電極によって少なくとも部分的に満たされてもよく、また、容器（前述）からの電極の最初の取り出しを容易にするために、きつく詰め込まれた容器内に梱包されてもよい。図示された実施形態において、インサート１４０は、筒状の本体１４２、少なくとも一つの補強部１４４、第一の端部１４６、及びハンドル１５２を含めて、プラスチック又は強化された紙材料で作られてもよい。そのプラスチック及び強化された紙材料は、先に説明された包括的でなく、限定的でないプラスチック及び強化された紙材料のリストを含む。少なくとも一つの補強部１４４は、第一の端部及び／又はハンドル１５２及び第二の端部１４８に接続してもよく、また、インサート４０の長手方向の長さに対して如何なる角度で長手方向に延びてもよい。他の実施形態において、少なくとも一つの補強部は、図６に図示された構造と異なる構造であってもよい。図示された実施形態において、インサート１４０は、インサート１４０を製造するための費用を最小化するためのフィンシール１５４を有してもよい。他の実施形態において、インサートは、正方形状又は三角形状の断面を含み、かつこれに限定されない、他の断面を持つことができる。更に他の実施形態において、インサートは、どちらのインサートの端部とも異なる長手方向の位置にある、最大断面を持つ。
【００３３】
図７Ａ及び図７Ｂは、手による容器１０からの溶接棒１６の取り出しを容易にするために、トレイ形状のインサート２２（前述）と共に包装された、複数のきつく詰め込まれた溶接棒１６の上方斜視図を示す。図７Ａは、長手方向に延びる容器１０の中心線付近に挿入されたトレイ形状のインサート２２、及び溶接棒１６から長手方向に延びるハンドル４２を示す。他の実施形態において、インサートは、長手方向に延びる中心線から外れた位置において容器に挿入されてもよい。図示された実施形態において、ハンドル４２は、首部３６に対しておよそ２５―７５°の角度の伸展位置にある。この位置において、ハンドル４２は、容器１０から長手方向に遠ざかる方向に引かれた場合に、きつく詰め込まれた容器１０からの溶接棒１６の取り出しを容易にすることができる。前述したように、隙間３８及びヒンジ部４０は、ハンドル４２を柔軟に首部３６に接続する。従って、ハンドル４２は、収容位置（例えば図３Ａに示される）と図７Ａに図示された伸展位置との間を、軸Ａに関して動くこと又は曲がることができる。図７Ｂは、容器１０からトレイ形状のインサート２２が部分的に引き抜かれた状態の、図７Ａに図示された容器１０を示す。この位置から、ハンドル４２は個々の溶接棒１６を手で取り出すために首部３６に対しておよそ９０°の角度まで動くことができる。または、トレイ形状のインサート２２は棒１６へのアクセスを更に容易にするために、容器１０から長手方向に更に引き出されることができる。前述のように、インサート２２は容器から完全に取り出されない限り、インサート２２を容器１０内に押し戻すことによって一度よりも多い回数使用されることができる。容器１０内に押し戻すことは、溶接棒１６がインサート２２を補充することを引き起すことができる。
【００３４】
図８Ａ及び図８Ｂは、手による溶接棒１６の取り出しを容易にするためにインサート５０（前述）と共に梱包された、複数のきつく詰め込まれた溶接棒１６の上方斜視図を示す。図８Ａは、長手方向に延びる容器１０の中心線付近に挿入され、溶接棒１６の他末端から長手方向に離間したハンドル５６を持つインサート５０を示す。ハンドル５６は、容器１０からのインサート５０及び複数の溶接棒１６の取り出しを容易にするために、手で掴まれてもよい。図８Ｂは、容器１０からインサート５０が部分的に引き抜かれた状態の、図８Ａに図示された容器１０を示す。この位置から、インサート５０は溶接棒１６へのアクセスを更に容易にするために、容器１０から長手方向に更に引き出されることができる。または、インサート５０は容器１０から完全に取り出されることができる。前述のように、インサートは容器から完全に取り出されない限り、インサート５０を容器１０内に押し戻すことによって一度よりも多い回数使用されることができる。
【００３５】
本発明は特定の実施形態を参照して記載されたが、様々な変更を行い得ること及び本発明の範囲から逸脱せずに均等物を置換させ得ることが当業者に理解されるであろう。加えて、本発明の範囲から逸脱せずに特別な状況又は材料を本発明の教示に適合させるために多くの変更を行い得る。従って、本発明は記載された特定の実施形態に限定されず、本発明は添付の特許請求の範囲内に入る全ての実施形態を含むことが意図される。
【符号の説明】
【００３６】
１０  容器
１２  物品
１４  キャニスター
１６  溶接電極／溶接棒
１８  蓋／シール
２０  （再び閉めることができる）蓋
２２  インサート
２４  第一の側壁
２４ａ  上部
２４ｂ  下部
２６  第二の側壁
２６ａ  上部
２６ｂ  下部
２８  底面
３０  第一の端部
３１  第二の端部
３２  端部フランジ
３４  隙間
３６  首部
３８  隙間
４０  ヒンジ部
４２  ハンドル
４４  孔
５０  インサート
５２  接続部
５４  端部フランジ
５６  ハンドル
６０  インサート
６２  上方補助保持部
６４  下方補助保持部
６６  端部フランジ
６８  ハンドル
７０  接続部
７２  （下方の）外周部
７４  （下方の）外周部
８０  インサート
８２  接続部
８４  端部フランジ
８６  ハンドル
９０  インサート
９２  トレイ
９２ａ  第一の端部
９２ｂ  第二の端部
９４  端部フランジ
９６  接続部
９８  ハンドル
１００  孔
１１０  インサート
１１４  （Ｕ字形状の外周の）首部
１１６  （Ｄ字形状の）ハンドル
１２０  インサート
１２２  切り込み
１２４  トレイ
１２６  側壁
１３０  インサート
１３２  切り込み
１３４  トレイ
１４０  容器インサート
１４２  本体
１４４  補強部
１４６  第一の端部
１４８  第二の端部
１５０  孔
１５２  ハンドル
１５４  フィンシール
A−A  軸
Ao  断面面積
A1  断面面積
A2  最大断面面積
A3  最大断面面積
A4  最大断面面積
【要約】
インサート及び容器（10）の組み合わせであって、第一の断面面積を有する開口を持つ容器（10）の内部に収容される、複数の溶接電極（16）、及び、容器（10）の第一の断面面積と同等か、又はそれ以下の第二の断面面積を有するインサート、を有する。インサートは容器（10）の内部に配置され、複数の溶接電極（16）の少なくとも一つを保持する。さらに、収容した容器から、インサート、及び、前記複数の溶接電極の前記少なくとも一つを取り出すための手段を有する。【図１】
0005575346.tif 000002
【図２】
0005575346.tif 000003
【図３Ａ】
0005575346.tif 000004
【図３Ｂ】
0005575346.tif 000005
【図４Ａ】
0005575346.tif 000006
【図４Ｂ】
0005575346.tif 000007
【図４Ｃ】
0005575346.tif 000008
【図５Ａ】
0005575346.tif 000009
【図５Ｂ】
0005575346.tif 000010
【図５Ｃ】
0005575346.tif 000011
【図５Ｄ】
0005575346.tif 000012
【図６】
0005575346.tif 000013
【図７Ａ】
0005575346.tif 000014
【図７Ｂ】
0005575346.tif 000015
【図８Ａ】
0005575346.tif 000016
【図８Ｂ】
0005575346.tif 000017